(57)【特許請求の範囲】
【請求項１】
それぞれが周縁部を有する天板と箱状部材の互いの周縁部同士が締結されることにより、天板と箱状部材の内側との間に空間が形成されるフロアパネルにおいて、
前記天板と前記箱状部材のそれぞれの周縁部は、互いに重なるように形成されると共に、互いの先端部を巻き込むように渦巻き状に形成され、
前記渦巻き状に形成されたカール部は、前記天板の上面を形成する水平板部の下面、及び前記箱状部材の側板部の外周側面に接触するように配置され、
前記天板と前記箱状部材は、それぞれの周縁部同士が互いに重なった部分において、直線状に伸びる部分が無いようにそれぞれ形成された
ことを特徴とするフロアパネル。
【請求項２】
前記カール部は、前記天板の上面から前記カール部の中心部に巻き込まれた前記周縁部の先端部までその断面が渦巻き状に連続するように形成されたことを特徴とする請求項１に記載のフロアパネル。
【発明の詳細な説明】
【技術分野】
【０００１】
本発明は、フリーアクセスフロア構造に用いられるフロアパネルに関するものである。
【背景技術】
【０００２】
フロアパネルは、建築構造物の一部を構成するコンクリート基材等により形成された基礎床面の上方に空間を隔てて設けられる、フリーアクセスフロア構造の床面に用いられるものである。
【０００３】
図７から図１０は、従来のフロアパネル２を説明するために参照する図である。
従来のフロアパネル２は、図７にその上面図、図８にその下面図、図９にその側面図を示すように、天板４と底板６（箱状部材）により構成されていた。これらの天板４と底板６は共に鋼板材を用いて形成されていた。
【０００４】
図７及び図８に示すように、従来のフロアパネル２は、それらの図中下側の側辺部に、略矩形状に入り込むよう切り欠かれた切欠き部８が形成されていた。
【０００５】
この切欠き部８は、フロアパネル２の図中下方に隣接する不図示のフロアパネルに同様に形成された切欠き部と対向して、共に１つの開口部を形成するようになっており、このような開口部にはコンセントボックス等の機器が設けられるようになっていた。
【０００６】
また、フロアパネル２の切欠き部８にコンセントボックス等の機器が設けられない場合には、切欠き部８を閉塞する不図示の蓋が嵌め込まれて、その蓋の上面が天板４の上面４ａと同一平面を形成するようになっていた。
【０００７】
フロアパネル２の底板６は、図１０に示すように、その底板部６ａの周端部から図中上方に向かって略垂直に立ち上がるよう折り曲げられた側板部６ｂが形成されており、この側板部６ｂの上端部には、図中水平方向外側に向かって略垂直に折り曲げられたフランジ状の周縁部６ｃが形成されていた。
【０００８】
したがって、フロアパネル２の底板６は、天板４が無いものと考えれば、その上方のフランジ状の周縁部６ｃより平面方向の、底板部６ａに対向する上方側の面が開口した内部空間１０を有するように、その中央部が下方に向かって凹んだ箱状に形成されていた。
【０００９】
図８及び図１０に示すように、底板６の底板部６ａには、その底板部６ａから天板４側（図１０中上方）に向かって、伏せたお椀のように肉厚が盛り上がった複数の補強部６ｅが形成されていた。
【００１０】
これらの補強部６ｅは、底板部６ａから天板４に向かうにつれて徐々にその水平面における径が小さくなるよう形成されており、その径が最も小さくなった頂上部６ｆが天板４の下面４ｂに接触して固着することにより、その補強部６ｅがフロアパネル２の上方からの荷重に対する強度を向上させることができるようになっていた。
【００１１】
図１０に示すように、その天板４の周縁部４ｃよりその先端側にさらに連続する部分は、その周縁部４ｃの下面４ｂに重なって接触している底板６の周縁部６ｃよりその先端側にさらに連続する部分と共に、９０度位の角度で図中下方に折り曲げられて形成された側板部４ｅが配置されていた。
【００１２】
そして、上記側板部４ｅの図中下端部よりその先端側にさらに連続する部分には、それを図中底板６の周縁部６ｃの下方に対向する側に巻き込まれてできた、断面が円弧状のカール部４ｄが形成されていた。このカール部４ｄの先端側の外周面４ｆは、底板６の側板部６ｂの外側面６ｇに接触するようになっていた。
【００１３】
従来のフロアパネル２は、図７，８に示すようなその４つの辺部において、カール部４ｄ及び側板部４ｅが形成されることにより、天板４と底板６の互いの周縁部４ｃ，６ｃが一体的に締結されるようになっていた。
【００１４】
このような従来のフロアパネル２は、図１０に示すように、天板４と、底板６の底板部６ａと側板部６ｂ及び補強部６ｅにより、その内部に形成された内部空間１０を有する中空状に形成されていた。
【００１５】
従来のフロアパネル２は、上記のような構造とすることにより、天板４と底板６を側板部４ｅとカール部４ｄにより締結すると共に、底板６の側板部６ｂと補強部６ｅによってフロアパネル２の上方からの荷重に耐える強度を持たせることができるように一応はなっていた。
【先行技術文献】
【特許文献】
【００１６】
【特許文献１】登録実用新案第３０１０９８１号公報
【発明の概要】
【発明が解決しようとする課題】
【００１７】
しかしながら、この従来のフロアパネル２においては、その天板４や底板６の板厚にもよるが、天板４の周縁部４ｃと底板６の周縁部６ｃが、単に重なって水平方向外側に伸びているだけだったので、天板４や底板６の周縁部４ｃ，６ｃの上下方向の強度が不足するという問題があった。
【００１８】
このため、フロアパネル２の天板４や底板６の周縁部４ｃ，６ｃの上方から大きな荷重が加えられた際に、その上方からの荷重に耐えられないときは、周縁部４ｃ，６ｃの側板部４ｅ側の端部が、側板部６ｂ側の端部の高さより下方に変位して、周縁部４ｃ，６ｃの側板部６ｂ側の端部が、天板４の中央側の平面に対して“へ”の字状に折れ曲がるように変形するおそれがあった。
【００１９】
このような天板４や底板６の周縁部４ｃ，６ｃの強度を向上させて、それらが上記のように変形するのを防止するためには、それらの板厚を厚くすることが考えられるが、そうすると今度はその分、フロアパネル２の重量が重くなると共に、そのコストが高くなって、フロアパネルの重量化や高コスト化を招くという問題があった。
【００２０】
そこで本発明は、上記問題点に鑑みて、フロアパネルの重量化や高コスト化を招くことなく、フロアパネルの周縁部の強度を向上させて、フロアパネル上に加えられた荷重によりその周縁部が変形するのを防止できるフロアパネルを提供することを課題とするものである。
【課題を解決するための手段】
【００２１】
上記課題を解決するために、本発明によるフロアパネルは、
それぞれが周縁部を有する天板と箱状部材の互いの周縁部同士が締結されることにより、天板と箱状部材の内側との間に空間が形成されるフロアパネルにおいて、
前記天板と前記箱状部材のそれぞれの周縁部は、互いに重なるように形成されると共に、互いの先端部を巻き込むように渦巻き状に形成され、
前記渦巻き状に形成されたカール部は、前記天板の上面を形成する水平板部の下面、及び前記箱状部材の側板部の外周側面に接触するように配置され、
前記天板と前記箱状部材は、それぞれの周縁部同士が互いに重なった部分において、直線状に伸びる部分が無いようにそれぞれ形成された
ことを特徴とするものである。
【００２２】
また、本発明によるフロアパネルは、
前記カール部は、前記天板の上面から前記カール部の中心部に巻き込まれた前記周縁部の先端部までその断面が渦巻き状に連続するように形成されたことを特徴とするものである。
【発明の効果】
【００２４】
このような本発明のフロアパネルによれば、
それぞれが周縁部を有する天板と箱状部材の互いの周縁部同士が締結されることにより、天板と箱状部材の内側との間に空間が形成されるフロアパネルにおいて、
前記天板と前記箱状部材それぞれの周縁部を幅広の平面状に形成した状態から、前記天板と箱状部材の周縁部同士を互いに重ねた状態のまま、その周縁部の先端側が前記箱状部材側に向かってその断面が渦巻き状になるよう巻き込まれて形成されたカール部を備えたことにより、
フロアパネルの重量化や高コスト化を招くことなく、フロアパネルの周縁部の強度を向上させて、フロアパネル上に加えられた荷重によりその周縁部が変形するのを防止することができる。
【図面の簡単な説明】
【００２５】
【図１】本発明の一実施の形態に係るフロアパネル２０を示す図であって、図２におけるＢ−Ｂ線矢視の部分断面図である。
【図２】図１に示すフロアパネル２０全体の上面図である。
【図３】図１に示すフロアパネル２０全体の下面図である。
【図４】図１に示すフロアパネル２０全体の側面図である。
【図５】図１に示すフロアパネル２０におけるカール部２２ｄを形成する前の状態の天板２２の周縁部２２ｃと底板２４の周縁部２４ｃを示す断面図である。
【図６】図１に示すフロアパネル２０と、このフロアパネル２０を支持する支持脚３２とにより構成されたフリーアクセスフロア構造３０の斜視図である。
【図７】従来のフロアパネル２の上面図である。
【図８】図７に示すフロアパネル２の下面図である。
【図９】図７に示すフロアパネル２の側面図である。
【図１０】図７に示すフロアパネル２におけるＡ−Ａ線矢視の部分断面図である。
【発明を実施するための形態】
【００２６】
以下、本発明に係るフロアパネルを実施するための形態について、図面に基づいて具体的に説明する。
図１から図６は、本発明の一実施の形態に係るフロアパネル２０について説明するために参照する図である。
【００２７】
本実施の形態に係るフロアパネル２０は、図１に示すように、天板２２と底板２４（箱状部材）の互いの周縁部２２ｃ，２４ｃ同士が一体的に巻き込まれるように加工されて、カール部２２ｄを形成することにより互いに締結されている。
【００２８】
そして、本実施の形態に係るフロアパネル２０は、前記従来のフロアパネル２のような、水平方向外側に伸びた長さ部分を有する周縁部４ｃ，６ｃや、上下方向に伸びた側板部４ｅ等を有していない点において、従来のフロアパネル２と異なっている。
【００２９】
フロアパネル２０の底板２４は、その周縁部２４ｃより平面方向の内側（中央側）が開口した内部空間２６を有するように、その周縁部２４ｃの平面方向の内側が下方に凹んでできた底板部２４ａを有するような箱状に形成されている。
【００３０】
このため、天板２２と底板２４の互いの周縁部２２ｃ，２４ｃ同士が互いに締結されることにより、フロアパネル２０は互いの間に内部空間２６を有する中空状に形成されることになる。
【００３１】
すなわち、フロアパネル２０は、図２にその上面図、図３にその下面図、図４にその側面図を示すように、主として、天板２２と底板２４により構成されており、これらの天板２２と底板２４は共に鋼板材を用いて形成されている。
【００３２】
図２に示すように、フロアパネル２０の天板２２は、図７に示す前記従来のフロアパネル２における切欠き部８が設けられていないため、略正方形の板状に形成されている。
【００３３】
フロアパネル２０の底板２４は、図５に示すように、その底板部２４ａの周端部より図中上方に向かって、略垂直に立ち上がるよう折り曲げられた側板部２４ｂが形成されている。
【００３４】
そして、上記側板部２４ｂの上端部には、図中水平方向外側に向かって略垂直に折り曲げられ、フロアパネル２０の製造過程の途中において一時的に水平方向外側に長く突出するような、幅広状の周縁部２４ｃが形成されている。
【００３５】
これらの側板部２４ｂと周縁部２４ｃは、底板２４をプレス加工する工程において同時に形成されるようになっている。
【００３６】
また図５に示すように、上記底板２４の幅広状の周縁部２４ｃの上には、天板２２の周縁部２２ｃの下面２２ｂが接触するよう配置され、その周縁部２２ｃの先端が底板２４の周縁部２４ｃの先端と揃うように配置されている。
【００３７】
そして、天板２２の周縁部２２ｃは、底板２４の周縁部２４ｃと同様に、図中水平方向外側に向かって、フロアパネル２０の製造過程の途中において一時的に長く突出するよう幅広状に形成されている。
【００３８】
そして、図５中水平方向外側に向かって長く突出するように形成された周縁部２２ｃ，２４ｃは、その先端側が底板２４の側板部２４ｂ側に向かって、図中下方に一体的に巻き込まれて、その断面が渦巻き状になるように加工された、図１に示すようなカール部２２ｄが形成されるようになっている。
【００３９】
すなわち、図１に示すように、天板２２の周縁部２２ｃの先端部２２ｅは、その周縁部２２ｃの下面２２ｂ側に重ね合わされた底板２４の周縁部２４ｃの先端部２４ｅと共に、その周縁部２４ｃを内側にして巻き込んでいくことにより、カール部２２ｄが形成されるようになっている。
【００４０】
このようにして形成されたカール部２２ｄにおいては、天板２２の周縁部２２ｃは、天板２２の上面２２ａから、カール部２２ｄの中心部に巻き込まれた周縁部２２ｃの先端部２２ｅまで、その断面が渦巻き状に連続するように形成されている。
【００４１】
底板２４の周縁部２４ｃも、側板部２４ｂ側の端部の下面から、カール部２２ｄの中心部に巻き込まれた周縁部２４ｃの先端部２４ｅまで、その断面が渦巻き状に連続するように形成されている。
【００４２】
このようなカール部２２ｄは、天板２２の周縁部２２ｃの先端部２２ｅを底板２４の周縁部２４ｃの先端部２４ｅと共に折り曲げる作業を複数回行なうことにより、周縁部２２ｃ，２４ｃの折り曲げ始点（図１中のＳ点）から最終的に３６０度を越える角度まで徐々に折り曲げて形成されるようになっている。
【００４３】
図１に示すように、天板２２の周縁部２２ｃの先端部２２ｅは、その外周側に位置する天板２２の周縁部２２ｃの長さ途中の位置まで巻き重ねられており、これらの間に挟み込まれた状態の底板２４の周縁部２４ｃも、その外周側に位置する底板２４の周縁部２４ｃの長さ途中の位置まで巻き重ねられている。
【００４４】
このため、フロアパネル２０の底板２４の側板部２４ｂの側部で、かつその上端部の位置において、天板２２の周縁部２２ｃと底板２４の周縁部２４ｃが巻き重ねられた後のカール部２２ｄが形成されるようになっている。
【００４５】
フロアパネル２０は、図２に示す天板２２の４つの辺部それぞれに沿って軸線が配置されたカール部２２ｄが形成されることにより、天板２２と底板２４の互いの周縁部２２ｃ，２４ｃが一体的に締結されるようになっている。
【００４６】
本実施の形態に係るフロアパネル２０の内部空間２６の内部には、図１に示すように、所定の厚さを有する平板状の補強部材２８が、天板２２の下面２２ｂと、底板２４の底板部２４ａの上面との間に挟まれて配置されている。
【００４７】
そして補強部材２８は、その上面と天板２２の下面２２ｂとの間、及び、補強部材２８の下面と底板部２４ａの上面との間の接着剤を介して、それらに接着されることにより固定されている。
【００４８】
この補強部材２８には、木質材料が用いられており、例えば、木材を小さな木片に砕いて乾燥させ、接着剤を加えて高温高圧の下で成形したパーティクルボードを用いることができる。
【００４９】
図６に示すように、本実施の形態に係るフロアパネル２０は、その四隅部を下側から支持して、基礎床面３１の上方に空間を隔てて配置させる支持脚３２と共にフリーアクセスフロア構造３０を構成するようになっている。
【００５０】
このフリーアクセスフロア構造３０の支持脚３２は、パネル調整台３４と、脚部３６により構成されている。そして、支持脚３２のパネル調整台３４は、その支持面上に、複数のフロアパネル２０の底板部２４ａの底面２４ｄ四隅部のいずれか１つずつが載置されて、この底面２４ｄの四隅部を介してフロアパネル２０にその上方から加えられる荷重を、複数の支持脚３２により支持するようになっている。
【００５１】
このようなフロアパネル２０は、図１に示すように、天板２２と底板２４の底板部２４ａとの間に補強部材２８が挟まれているため、その上方から荷重が加えられた際に、補強部材２８を介してその荷重を支持脚３２により支持することができる。
【００５２】
また、図１０に示す前記従来のフロアパネル２の周縁部は、天板４の周縁部４ｃと底板６の周縁部６ｃの、長さを有する２枚の水平部分が重ね合わされていただけなので、その水平の長さ部分の一番外側の部分（底板２４の側板部２４ｂから最も離れた部分）の上に大きな荷重が加えられると最も大きなモーメントの曲げ力が働くようになっている。
【００５３】
これに対して、本実施の形態に係るフロアパネル２０は、その側部でかつその上端部の位置にカール部２２ｄが形成されていて、そのカール部２２ｄにおける周縁部２２ｃと２４ｃは水平方向に伸びる長さ部分がほとんど無いのに等しいので、そのカール部２２ｄの上に大きな荷重が加えられても、従来のフロアパネル２のように大きなモーメントの曲げ力が働くようにはなっていない。
【００５４】
このため、フロアパネル２０の側部でかつその上端部の位置にカール部２２ｄを形成することにより、フロアパネル２０の周縁部の強度を向上させることができるので、フロアパネル２０の周縁部の上に大きな荷重が加えられても、その周縁部が変形することを防止することができる。
【００５５】
このように、本実施の形態に係るフロアパネル２０によれば、特に天板２２や底板２４の板厚を厚くしなくとも、フロアパネル２０の周縁部の強度を向上させることができるので、フロアパネルの重量化や高コスト化を招くことなく、フロアパネルの周縁部の強度を向上させて、フロアパネル上に加えられた荷重によりその周縁部が変形するのを防止することができる。
【００５６】
なお、上記本発明の一実施の形態に係るフロアパネル２０は、天板２２と底板２４は共に鋼板材を用いて形成されていたが、他の金属材料を用いて形成されるようにしてもよく、或は強度を有する材料であれば金属以外の材料を用いて形成されるようにしてもよい。
【００５７】
また、前記本発明の一実施の形態に係るフロアパネル２０は、その内部空間２６にパーティクルボードを用いた平板状の補強部材２８が配置されていたが、その内部空間２６にはパーティクルボード以外の他の木質材料、又は木質材料以外の材料により形成された補強部材が配置されるようになっていてもよい。
【００５８】
また、前記本発明の一実施の形態に係るフロアパネル２０における天板２２と底板２４は、上記のような構成のみに限定される必要はなく、例えば、底板２４の底板部２４ａに前記従来のフロアパネル２の底板６の補強部６ｅのような補強構造が形成されて、木質材料等により形成された平板状の補強部材２８を用いないように構成してもよい。
【００５９】
また、図６においては、説明の便宜上、１つの支持脚３２が３枚のフロアパネル２０それぞれの隅部を支持する場合について説明したが、１つの支持脚３２は４枚のフロアパネル２０それぞれの隅部を同時に支持することができることはいうまでもなく、またそれが本来の支持脚３２の使い方であることもいうまでもない。
【００６０】
また、前記本発明の一実施の形態におけるフロアパネル２０は、前記従来のフロアパネル２とは異なり側辺部に切欠き部８が形成されていない場合について説明したが、１つ又は複数の側辺部に、１つ又は複数の切欠き部が形成されるようになっていてもよい。
【符号の説明】
【００６１】
２  フロアパネル
４  天板
４ａ  上面
４ｂ  下面
４ｃ  周縁部
４ｄ  カール部
４ｅ  側辺部
４ｆ  外側面
６  底板
６ａ  底板部
６ｂ  側板部
６ｃ  周縁部
６ｅ  補強部
６ｆ  頂上部
６ｇ  外側面
８  切欠き部
１０  内部空間
２０  フロアパネル
２２  天板
２２ｂ  下面
２２ｃ  周縁部
２２ｄ  カール部
２２ｅ  先端部
２４  底板
２４ａ  底板部
２４ｂ  側板部
２４ｃ  周縁部
２４ｄ  底面
２４ｅ  先端部
２６  内部空間
２８  補強部材
３０  フリーアクセスフロア構造
３１  基礎床面
３２  支持脚
３４  パネル調整台
３６  脚部
【図１】
0005858570.tif 000002
【図２】
0005858570.tif 000003
【図３】
0005858570.tif 000004
【図４】
0005858570.tif 000005
【図５】
0005858570.tif 000006
【図６】
0005858570.tif 000007
【図７】
0005858570.tif 000008
【図８】
0005858570.tif 000009
【図９】
0005858570.tif 000010
【図１０】
0005858570.tif 000011